(57)【要約】【課題】作業性が良好となり、しかも作業効率を向上させることで工期の短縮を図るようにした。【解決手段】構造物２のスラブ施工領域に配置されるトラス筋付きデッキ１は、平板状のデッキプレートの上面にトラス筋が骨組みされて一体に設けられたデッキ本体１０と、デッキ本体１０の上面を覆う平板状のカバー部材１１とからなる。カバー部材１１は、枠カバー体１１Ａと分割カバー体１１Ｂとに分割されてなり、支持部材によってデッキ本体１０より支持されている。【選択図】図１
2007205078.tif 000002
【特許請求の範囲】
【請求項１】
構造物のスラブ施工領域に配置され、デッキプレート上にトラス筋が骨組みされて一体に設けられたデッキ本体と、
該デッキ本体の上面を覆うカバー部材と、
が設けられ、
前記カバー部材は前記デッキ本体に支持されていることを特徴とするトラス筋付きデッキ。
【請求項２】
前記カバー部材は、複数に分割されていることを特徴とする請求項１に記載のトラス筋付きデッキ。
【請求項３】
前記カバー部材には、貫通孔が設けられていることを特徴とする請求項１又は２に記載のトラス筋付きデッキ。
【発明の詳細な説明】
【技術分野】
【０００１】
本発明は、構造物のスラブなどに施工されるトラス筋付きデッキに関する。
【背景技術】
【０００２】
従来、構造物のスラブの施工では、予め工場で製造されたＰＣ床版や、床パネルなどが使用されている（例えば、特許文献１参照）。これらは現場でコンクリートを打設することがないため作業工程を短縮することができる。そして、それらの仕上げ面は、予め一体に製作させておくか、現場で組み立てるものである。
また、現場でコンクリートを打設してスラブを構築する施工には、型枠が不要であり配筋作業が簡略化されて工期を短縮させることができるといった利点から、平板上に鉄筋などをトラス状に骨組みさせて一体に形成させたトラス筋付きデッキが使用されている。
【特許文献１】特開２００１−９８６８８号公報
【発明の開示】
【発明が解決しようとする課題】
【０００３】
しかしながら、従来のトラス筋付きデッキは、トラス筋が山部と谷部を形成した凹凸状になっているため、トラス筋付きデッキ上では足場が悪い状態であり、歩きにくいことから、例えばコンクリート打設作業などを行うにあたって作業性が悪いといった問題があった。
また、トラス筋付きデッキに対してコンクリートを打設した後は、コンクリートの養生期間（例えば２、３日が必要）が必要であり、コンクリートが固化してからでないと打設したコンクリート上における墨出し作業や仕上げ材の搬入作業などの次の作業工程に取り掛かることができないことから、工期が長くなるという問題があった。
【０００４】
本発明は、上述する問題点に鑑みてなされたもので、作業性が良好となり、しかも作業効率を向上させることで工期の短縮を図るようにしたトラス筋付きデッキを提供することを目的とする。
【課題を解決するための手段】
【０００５】
上記目的を達成するため、本発明に係るトラス筋付きデッキは、構造物のスラブ施工領域に配置され、デッキプレート上にトラス筋が骨組みされて一体に設けられたデッキ本体と、デッキ本体の上面を覆うカバー部材とが設けられ、カバー部材はデッキ本体に支持されていることを特徴としている。
本発明では、カバー部材がデッキ本体に支持されていることから、カバー部材上に乗ってコンクリート打設などの作業を行うことができる。そして、カバー部材の上面は、凹凸のない平らな面に形成されているため、足場が確保されていて歩き易くなっている。このように、カバー部材上を歩けることから、デッキ本体を直接踏みつけることによる配筋のズレがなくなり、コンクリートの被り厚さを一定にすることができることから構造の品質を向上できる。そして、コンクリートの打設後には、コンクリートが固化するまでの養生期間を待たずに、カバー部材上における墨出し作業や仕上げ材の搬入作業などの次の作業工程を実施できる。
【０００６】
また、本発明に係るトラス筋付きデッキでは、カバー部材は、複数に分割されていることが好ましい。
本発明では、カバー部材を分割させることで、取り付け作業が容易になり、作業条件に合わせて必要な範囲のみにカバー部材を配置させることができる。
【０００７】
また、本発明に係るトラス筋付きデッキでは、カバー部材には、貫通孔が設けられていることが好ましい。
本発明では、貫通孔を使用してデッキ本体とカバー部材との間にコンクリートを打設することができ、その際にコンクリートの充填状態を確認することができる。
【発明の効果】
【０００８】
本発明のトラス筋付きデッキによれば、トラス筋付きデッキの上面側にカバー部材を設けることにより、カバー部材を設けない場合と比較して足場が確保されて歩き易くなり、作業性を良好にできる効果を奏する。また、コンクリート打設後の養生期間を待つことなく、カバー部材上における次の作業工程を行なえることから、作業効率を向上させることができ、工期の短縮が図れる。
【発明を実施するための最良の形態】
【０００９】
以下、本発明のトラス筋付きデッキの実施の形態について、図１乃至図４に基づいて説明する。
図１は本発明の実施の形態によるトラス筋付きデッキの設置状態を示す斜視図、図２はトラス筋付きデッキの分解斜視図、図３はトラス筋付きデッキの側面図、図４（ａ）、（ｂ）はトラス筋付きデッキのほかの設置状態を示す斜視図である。
【００１０】
図１及び図２に示すように、本実施の形態によるトラス筋付きデッキ１は、構造物２のスラブの施工に採用され、コンクリート内に埋設する鉄筋と、下側の型枠とを一体に設けたものである。トラス筋付きデッキ１は、スラブの施工領域（以下、スラブ領域Ｒとする）全体に配置されたデッキ本体１０と、デッキ本体１０の上面を覆う平板状のカバー部材１１とからなる。なお、スラブ領域Ｒは、構造物２の梁３と柱４とに囲まれた領域である。
【００１１】
図３に示すように、デッキ本体１０は、平板状のデッキプレート１０ａと、そのデッキプレート１０ａの上面に棒材がトラス状に骨組みされたトラス筋１０ｂと、トラス筋１０ｂの上端に溶接などの固着手段によって固着されて略横方向に配されてなる主筋１０ｃとから概略構成されている。この主筋１０ｃは、デッキプレート１０ａの上面に対して所定の高さとなるように配置されている。デッキ本体１０は、その外周を梁３や柱４の鉄筋などに接続させて所定のスラブ領域Ｒに設置される。
【００１２】
図２に示すように、カバー部材１１は、任意の形状で複数に分割されてなり、例えば平面視四角形状をなすカバー部材１１の外周縁に配される枠カバー体１１Ａと、枠カバー体１１Ａに囲われた内側で横方向又は縦方向に等間隔で複数に分割されてなる長方形状の分割カバー体１１Ｂ、１１Ｂ、・・・とからなる。カバー部材１１を分割させることで、取り付け作業が容易になり、また後述するが、作業条件に合わせて必要な範囲のみにカバー部材１１を配置させることができる。
そして、図３に示すように、カバー部材１１は、主筋１０ｃより上方の位置で所定の間隔、すなわち主筋１０ｃからスラブ上面までの高さ寸法（被り厚さＤ）をもって配置されている。
なお、カバー部材１１の材料には、例えば、網目状に形成された線材を内装させてなるモルタル板、厚さ寸法６ｍｍ程度の珪カル板、コンクリート型枠用合板などを採用できる。
【００１３】
図２及び３に示すように、カバー部材１１は、鋼材などからなる柱状の支持部材１２、１２、・・・を介してデッキ本体１０に固定されている。具体的には、カバー部材１１（枠カバー体１１Ａ、分割カバー体１１Ｂ）に予め支持部材１２の一端１２ａを固着しておき、現場において先行して設置させたデッキプレート１０ａの上面に支持部材１２の他端１２ｂをスポット溶接などの固着手段によって固着させている。
このような構成によりカバー部材１１がデッキ本体１０に支持されていることから、カバー部材１１上に乗ってコンクリート打設などの作業を行うことができる。そして、カバー部材１１の上面は、凹凸のない平らな面に形成されているため、足場が確保されていて歩き易くなっている。このようにカバー部材１１上を歩けることで、デッキ本体１０の主筋１０ｃ或いはトラス筋１０ｂを直接踏みつけることによる配筋のズレがなくなり、コンクリートの被り厚さＤ（図３参照）を一定にすることができることから構造の品質を向上できる。
【００１４】
また、図２に示すように、各分割カバー体１１Ｂの長手方向には、所定間隔をもって複数の貫通孔１１ａ、１１ａ、・・・が設けられている。これらの貫通孔１１ａ、１１ａ、・・・を使用してデッキ本体１０とカバー部材１１との間にコンクリートを打設することができ、また、その際にコンクリートの充填状態を確認することができる。
さらに、カバー部材１１は、スラブ上面を面一に形成するための型枠の機能をなしている。すなわち、図３に示す被り厚さＤを一定且つ確実に確保することができ、品質を向上させることができる。また、カバー部材１１が型枠代わりになることから、左官作業が不要となり施工を簡略化させることができる。
【００１５】
本トラス筋付きデッキ１では、コンクリートの打設後に、コンクリートが固化するまでの養生期間を待たずに、カバー部材１１上における作業、例えば、壁を施工するための型枠建て込み前の墨出し作業、壁際などの根元の桟木の取り付け作業、仕上げ材の搬入作業などの次の作業工程を実施できる。
そして、コンクリートの養生期間が経過した後、必要に応じてカバー部材１１を取り外すようにする。そのため、カバー部材１１に上述したモルタル板や珪カル板などを使用して捨て型枠として機能させる場合には、カバー部材１１がスラブの構造体として一体化されるため、カバー部材１１の取り外し作業は不要となる。
【００１６】
ここで、カバー部材１１の設置状態について図面に基づいて説明する。
図１ではスラブ領域Ｒのほぼ全体にわたってカバー部材１１を配置させているが、このほかに図４（ａ）及び（ｂ）に示すように作業条件に合わせて適宜、枠カバー体１１Ａや分割カバー体１１Ｂを配置させることができる。
例えば、図４（ａ）は、分割カバー体１１Ｂを１枚おきに配置させて、開口部２０を設けたものであり、この開口部２０よりコンクリートを打設することができる。また、図４（ｂ）は、枠カバー体１１Ａのみを配置させたものであり、コンクリート打設後に壁際で施工される型枠建て込み前の墨出し作業などで必要な領域のみにカバー部材１１を設けたものである。このように、デッキ本体１０上において歩く必要のない箇所に開口部２０を設けたり、作業に必要な箇所のみにカバー部材１１を配置させたりすることができ、これによりカバー部材１１のコストを低減することができる。
【００１７】
上述した本実施の形態によるトラス筋付きデッキでは、トラス筋付きデッキ１の上面側にカバー部材１１を設けることにより、カバー部材１１を設けない場合と比較して足場が確保されて歩き易くなり、作業性を良好にできる効果を奏する。
また、コンクリート打設後の養生期間を待つことなく、カバー部材１１上における次の作業工程を行なえることから、作業効率を向上させることができ、工期の短縮が図れる。
【００１８】
以上、本発明によるトラス筋付きデッキの実施の形態について説明したが、本発明は上記の実施の形態に限定されるものではなく、その趣旨を逸脱しない範囲で適宜変更可能である。
例えば、本実施の形態ではカバー部材１１を、枠形状をなす枠カバー体１１Ａや、長方形状をなす分割カバー体１１Ｂに分割させているが、このような分割形状に限定されることはなく、例えば正方形状に分割されていてもよい。そして、カバー部材１１は、枠形状の枠カバー体１１Ａを設けない構成であってもかまわない。
また、本実施の形態では支持部材１２を溶接による固定手段によりデッキ本体１０とカバー部材１１とを固定させているが、固定方法は溶接手段に限定されることはない。例えばカバー部材１１の裏面側（デッキ本体１０側）にボルトなどの突起部材を固定し、このボルトとトラス筋１０ｂをクリップ材などで固定するようにしてもかまわない。とくに、コンクリート打設後に例えば上述したコンクリート型枠用合板からなるカバー部材１１を脱型させる場合には、カバー部材１１をデッキ本体１０に取り外し易いように固定させることが好ましい。
【図面の簡単な説明】
【００１９】
【図１】本発明の実施の形態によるトラス筋付きデッキの設置状態を示す斜視図である。
【図２】トラス筋付きデッキの分解斜視図である。
【図３】トラス筋付きデッキの側面図である。
【図４】（ａ）、（ｂ）はトラス筋付きデッキのほかの設置状態を示す斜視図である。
【符号の説明】
【００２０】
１  トラス筋付きデッキ
１０  デッキ本体
１０ａ  デッキプレート
１０ｂ  トラス筋
１０ｃ  主筋
１１  カバー部材
１１Ａ  枠カバー体
１１Ｂ  分割カバー体
１２  支持部材
【図１】
2007205078.tif 000003
【図２】
2007205078.tif 000004
【図３】
2007205078.tif 000005
【図４】
2007205078.tif 000006